(57)【要約】【課題】  移動端末の状況に合わせてコンテンツを管理することで、移動端末の利用者に効率良くＣＭを視聴させることが可能な技術を提供する。【解決手段】  本発明の配信システム１は、コンテンツおよびＣＭを配信する配信サーバ１０と、移動端末２０と、を備える。移動端末２０は、配信されたコンテンツとＣＭとの間のリンクを、現在の位置および時間に基づいて管理するデータ管理部２１１と、端末の現在の位置および時間に関する位置時間情報を取得する情報取得部２１２と、リンク情報に従ってコンテンツおよびＣＭを再生するデータ再生部２１３と、を備える。【選択図】図１
2010061354.tif 000002
【特許請求の範囲】
【請求項１】
配信サーバから、コンテンツ、および、前記コンテンツのコンテンツメタデータ、を有するコンテンツ関連情報と、ＣＭ、および、前記ＣＭの視聴が推奨される地域と時間帯とを特定する推奨情報を含むＣＭメタデータ、を有するＣＭ関連情報と、前記コンテンツと前記ＣＭとの関連付けを特定する第一のリンク情報と、を受信する処理と、
位置と、時間と、を取得する処理と、
取得した位置及び時間が、前記推奨情報から特定される地域及び時間帯に含まれる推奨情報を含むＣＭメタデータを有するＣＭを特定する処理と、
特定したＣＭのＣＭメタデータに適合するコンテンツメタデータを有するコンテンツを特定し、特定したＣＭと、特定したコンテンツと、の関連付けを特定する第二のリンク情報を生成する処理と、
コンテンツの再生指示に応じて、再生指示のあったコンテンツに関連付けされたＣＭを、前記第一のリンク情報及び前記第二のリンク情報の、少なくとも何れか一方から特定し、特定したＣＭを再生する処理と、
を実行する制御部を備えること、
を特徴とする端末装置。
【請求項２】
請求項１に記載の端末装置であって、
前記制御部は、
取得した位置及び時間が、前記推奨情報から特定される地域及び時間帯に含まれない推奨情報を含むＣＭメタデータを有するＣＭと、コンテンツと、の関連付けを特定する第二のリンク情報を、削除する処理をさらに実行すること、
を特徴とする端末装置。
【請求項３】
請求項１に記載の端末装置であって、
前記制御部は、
ＣＭの再生回数を算出する処理と、
再生回数が所定の値に達したＣＭと、コンテンツと、の関連付けを特定する第一のリンク情報及び第二のリンク情報を、削除する処理をさらに実行すること、
を特徴とする端末装置。
【請求項４】
請求項１または２に記載の端末装置であって、
前記制御部は、
コンテンツを削除する処理を実行する際に、削除するコンテンツと、第一のリンク情報及び第二のリンク情報で関連付けされたＣＭと、前記第一のリンク情報及び前記第二のリンク情報と、を共に削除する処理を、さらに実行すること、
を特徴とする端末装置。
【請求項５】
請求項２または３に記載の端末装置であって、
前記制御部は、
コンテンツとの関連付けを特定する第一のリンク情報及び第二のリンク情報が存在しないＣＭを削除する処理を、さらに実行すること
を特徴とする端末装置。
【請求項６】
端末装置と、
配信サーバと、
前記配信サーバに設けられ、コンテンツ、および、前記コンテンツのコンテンツメタデータ、を有するコンテンツ関連情報と、ＣＭ、および、前記ＣＭの視聴が推奨される地域と時間帯とを特定する推奨情報を含むＣＭメタデータ、を有するＣＭ関連情報と、クライアントＩＤ毎に、前記クライアントＩＤで特定されるクライアントに関する属性情報と、を記憶する記憶部と、
前記配信サーバに設けられ、前記端末装置より、コンテンツ配信要求を受信する処理と、受信したコンテンツ配信要求に含まれるクライアントＩＤに対応する属性情報と、コンテンツ配信要求に含まれるコンテンツＩＤに対応するコンテンツのコンテンツメタデータと、に適合するＣＭメタデータを有するＣＭを特定する処理と、特定したＣＭと、コンテンツ配信要求に含まれるコンテンツＩＤで特定されるコンテンツと、の関連付けを特定する第一のリンク情報を生成し、特定したコンテンツのコンテンツ関連情報と、特定したＣＭのＣＭ関連情報と、第一のリンク情報と、をコンテンツ配信要求を送信してきた端末装置に送信する処理と、を行う制御部と、
前記端末装置に設けられ、  前記配信サーバに、クライアントＩＤ及びコンテンツＩＤを含むコンテンツ配信要求を送信する処理と、前記配信サーバからのコンテンツ関連情報と、ＣＭ関連情報と、第一のリンク情報と、を受信する処理と、位置と、時間と、を取得する処理と、取得した位置及び時間が、前記推奨情報から特定される地域及び時間帯に含まれる推奨情報を含むＣＭメタデータを有するＣＭを特定する処理と、特定したＣＭのＣＭメタデータに適合するコンテンツメタデータを有するコンテンツを特定し、特定したＣＭと、特定したコンテンツと、の関連付けを特定する第二のリンク情報を生成する処理と、コンテンツの再生指示に応じて、前記第一のリンク情報及び前記第二のリンク情報の、少なくとも何れか一方から、再生指示のあったコンテンツに関連付けされたＣＭを特定し、特定したＣＭを再生する処理と、を実行する制御部と、を備えること、
を特徴とする配信システム。
【請求項７】
端末装置が、前記配信サーバから、コンテンツ、および、当該コンテンツのコンテンツメタデータ、を有するコンテンツ関連情報と、ＣＭ、および、当該ＣＭの視聴が推奨される位置と時間とを特定する推奨情報を含むＣＭメタデータ、を有するＣＭ関連情報と、前記コンテンツと、前記ＣＭと、の関連付けを特定する第一のリンク情報と、を受信する過程と、
前記端末装置が、位置と、時間と、を取得する過程と、
前記端末装置が、取得した位置及び時間と、前記推奨情報から特定される位置及び時間と、が適合する推奨情報を含むＣＭメタデータを有するＣＭを特定する過程と、
前記端末装置が、特定したＣＭのＣＭメタデータに適合するコンテンツメタデータを有するコンテンツを特定し、特定したＣＭと、特定したコンテンツと、の関連付けを特定する第二のリンク情報を生成する過程と、
前記端末装置が、コンテンツの再生指示に応じて、再生指示のあったコンテンツに関連付けされたＣＭを、前記第一のリンク情報及び前記第二のリンク情報の、少なくとも何れか一方から特定し、特定したＣＭを再生する過程と、
を備えていること、
を特徴とする端末装置のデータ管理方法。
【請求項８】
コンピュータを、
コンテンツ、および、前記コンテンツのコンテンツメタデータ、を有するコンテンツ関連情報と、ＣＭ、および、前記ＣＭの視聴が推奨される地域と時間帯とを特定する推奨情報を含むＣＭメタデータ、を有するＣＭ関連情報と、前記コンテンツと、前記ＣＭと、の関連付けを特定する第一のリンク情報と、を記憶する記憶手段、制御手段、として機能させ、
前記制御手段は、
位置と、時間と、を取得する処理と、
取得した位置及び時間が、前記推奨情報から特定される地域及び時間帯に含まれる推奨情報を含むＣＭメタデータを有するＣＭを特定する処理と、
特定したＣＭのＣＭメタデータに適合するコンテンツメタデータを有するコンテンツを特定し、特定したＣＭと、特定したコンテンツと、の関連付けを特定する第二のリンク情報を生成する処理と、
コンテンツの再生指示に応じて、再生指示のあったコンテンツに関連付けされたＣＭを、前記第一のリンク情報及び前記第二のリンク情報の、少なくとも何れか一方から特定し、特定したＣＭを再生する処理と、
を実行すること、
を特徴とするプログラム。
【発明の詳細な説明】
【技術分野】
【０００１】
本発明は、端末装置および端末装置の実行するデータ管理方法に関するものである。
【背景技術】
【０００２】
端末に蓄積されるコンテンツについて、一定の条件の下でこれらを管理するような技術が知られている。
【０００３】
例えば、特許文献１には、コンテンツの保持期限や、再生可能な地域等の条件に基づいて、不要なコンテンツを削除するような技術が記載されている。
【０００４】
【特許文献１】特開２００２−１６９７１０号公報
【発明の開示】
【発明が解決しようとする課題】
【０００５】
しかしながら、特許文献１の技術は、各コンテンツを移動端末の状況に合わせて再生するものではないため、利用者の状況にそぐわないＣＭが再生される可能性があった。
【０００６】
そこで、本発明では、移動端末の状況に合わせてコンテンツを管理することで、移動端末の利用者に、状況にあったＣＭを効率良く視聴させることが可能な技術を提供することを目的とする。
【課題を解決するための手段】
【０００７】
前記課題を解決するために、本発明の移動端末は、配信サーバから、コンテンツ、および、前記コンテンツのコンテンツメタデータ、を有するコンテンツ関連情報と、ＣＭ、および、前記ＣＭの視聴が推奨される地域と時間帯とを特定する推奨情報を含むＣＭメタデータ、を有するＣＭ関連情報と、前記コンテンツと前記ＣＭとの関連付けを特定する第一のリンク情報と、を受信する処理と、位置と、時間と、を取得する処理と、取得した位置及び時間が、前記推奨情報から特定される地域及び時間帯に含まれる推奨情報を含むＣＭメタデータを有するＣＭを特定する処理と、特定したＣＭのＣＭメタデータに適合するコンテンツメタデータを有するコンテンツを特定し、特定したＣＭと、特定したコンテンツと、の関連付けを特定する第二のリンク情報を生成する処理と、コンテンツの再生指示に応じて、再生指示のあったコンテンツに関連付けされたＣＭを、前記第一のリンク情報及び前記第二のリンク情報の、少なくとも何れか一方から特定し、特定したＣＭを再生する処理と、を実行する制御部を備えることを特徴とする。
【発明の効果】
【０００８】
以上のように、本発明の移動端末によれば、利用者に効率良くＣＭを視聴させることができる。
【発明を実施するための最良の形態】
【０００９】
以下、本発明を実施するための最良の形態について、図面を参照して説明する。
＜第一の実施形態＞
図１に、本発明の第一の実施形態にかかる配信システム１を示す。
【００１０】
同図に示すように、配信システム１は、コンテンツおよびＣＭを配信する配信サーバ１０と、配信サーバ１０からネットワーク９００およびアクセスポイント８００を介して、コンテンツおよびＣＭの配信を受ける移動端末２０と、から構成されている。
【００１１】
ネットワーク９００は、電話・携帯電話網やインターネット等を含む公衆通信網である。
【００１２】
ＡＰ（アクセスポイント）８００は、移動端末２０とネットワーク９００との接続を中継し、移動端末２０は、ＡＰ８００と無線電波を送受信することでネットワーク９００と接続される。
【００１３】
配信サーバ１０は、コンテンツデータおよびＣＭデータを蓄積し、これらを移動端末２０へと配信するものである。
【００１４】
移動端末２０は、例えば、携帯電話やポータブルプレイヤやヘッドマウントディスプレイであり、画像や音声が再生可能な端末であればその形態は限定されない。
【００１５】
まず、配信サーバ１０について詳細に説明する。
【００１６】
配信サーバ１０は、制御部１１０と、記憶部１２０と、Ｉ／Ｆ部１３０と、を備えている。
【００１７】
記憶部１２０は、コンテンツデータベース１２１と、ＣＭデータベース１２２と、顧客情報１２３と、を記憶する。
【００１８】
コンテンツデータベース１２１には、クライアント（ここでは、移動端末２０のユーザ）へ配信されるコンテンツデータと、当該コンテンツデータに関連する情報を有するコンテンツメタデータと、を有するコンテンツ関連情報を予め蓄積する。コンテンツデータとは、例えば、音楽や映像、画像、文書等、あらゆるデジタルデータ全般である。
【００１９】
なお、各コンテンツデータには、予めこれらを管理するためのメタデータが付与されている。メタデータとは、コンテンツを説明する複数の情報から構成されており、例えば、コンテンツのＩＤ、ジャンル、タイトル、作成地、予測される視聴者層の属性（例えば、年齢・居住地区・性別・嗜好等の情報）等の情報が格納されている。
【００２０】
ＣＭデータベース１２２は、広告情報を配信するためのいわゆるＣＭ（コマーシャル）に関するＣＭデータと、当該ＣＭデータに関連する情報を有するＣＭメタデータと、を有するＣＭ関連情報を予め蓄積する。本発明におけるＣＭデータとは、クライアントに対する宣伝を目的とするデータであり、その形式は特に限定されない。
【００２１】
なお、ＣＭデータベース１２２に格納されるＣＭデータにも、これらを管理するための、例えば、図２に示すようなメタデータが予め付与されている。同図に示すように、ＣＭデータに付与されるメタデータには、例えば、ＣＭのＩＤ、タイトル、作成日、ＣＭと関連し、視聴が推奨される地域および時間帯、ターゲットとする消費者層の属性（例えば、年齢・居住地区・性別・嗜好等の情報）、リンク先となるコンテンツのＩＤ等に関する情報が格納されている。
【００２２】
ここで、各ＣＭデータは、後述するデータ配信部１１２によってコンテンツデータと関連付けられ、利用者へと配信される。従って、このような関連付けに際して、データ配信部１１２は、クライアントに配信するＣＭデータに付与されるメタデータに、リンク先となるコンテンツデータのＩＤを記述する。
【００２３】
なお、リンク対象となるコンテンツデータは、ＣＭデータの配信や、移動端末２０における再生タイミング等を定める処理に利用することが可能である。
【００２４】
例えば、後述のデータ配信部１１２は、コンテンツを配信する際、当該コンテンツをリンク先としているＣＭデータをコンテンツデータに付加して、移動端末２０へと送信する。また、移動端末２０のデータ再生部２１３は、コンテンツ再生の際に、当該コンテンツをリンク先としているＣＭを、所定のタイミングで再生するような構成とすることができる。
【００２５】
なお、１つのコンテンツを、複数のＣＭがリンク先として指定しても良い。
【００２６】
また、配信するコンテンツが複数ある場合、複数のコンテンツが同一のＣＭをリンク先として指定しても良い。
【００２７】
顧客情報１２３は、後述の顧客管理部１１１によって、クライアントごとに生成される情報である。顧客情報１２３には、例えば、移動端末２０およびクライアントを識別するためのクライアントＩＤと、当該クライアントの年齢・性別・住所・嗜好等に関する個人情報をデータ化した属性情報と、から構成することができる（図示しない）。
【００２８】
制御部１１０は、顧客情報１２３を生成する顧客管理部１１１と、クライアントへコンテンツおよびＣＭを配信するデータ配信部１１２と、を備えている。以下、配信サーバ１０から移動端末２０へのコンテンツおよびＣＭが送信される際には、メタデータを伴うコンテンツ関連情報およびＣＭ関連情報が配信されているものとする。
【００２９】
顧客管理部１１１は、予めクライアントからの情報を受け付けて、クライアントごとに顧客情報１２３を生成する。
【００３０】
具体的に、顧客管理部１１１は、予めクライアントごとに年齢・性別・住所・嗜好等の属性情報を、ウェブページ等を介して受け付ける。そして、このような属性情報を、クライアントおよび移動端末２０を識別するためのクライアントＩＤと対応付けて、顧客情報１２３として格納する。
【００３１】
データ配信部１１２は、移動端末２０へコンテンツおよびＣＭを配信する。
【００３２】
コンテンツおよびＣＭの配信は、移動端末２０からの配信要求に応じて実行される。なお、配信要求は、例えば、データ配信部１１２が予め移動端末２０へ配信可能なコンテンツリストを提供し、利用者はこれに基づいて所望のコンテンツの配信を要求することが可能である。
【００３３】
具体的に、データ配信部１１２は、移動端末２０からコンテンツの配信要求を受け付けると、配信を要求されたコンテンツにＣＭデータを関連付けて、クライアントへと配信する。
【００３４】
ＣＭデータの関連付け処理に関しては、特にその手法や数を限定しない。以下、その一例を示す。
【００３５】
例えば、データ配信部１１２は、配信要求のあったコンテンツの内容と、予め顧客情報１２３として蓄積されるクライアントの属性情報と、に適合するＣＭを、ＣＭデータベース１２２から選択する。
【００３６】
具体的に、まず、データ配信部１１２は、配信要求のあったコンテンツの内容と、ＣＭの内容と、を比較して、適合度を算出する。
【００３７】
適合度は、例えば、ＣＭに付与されたメタデータの項目に予め重み係数を配し、ＣＭのメタデータとコンテンツのメタデータと照合して、一致する項目の重み係数の総和を算出することで推定することができる。
【００３８】
データ配信部１１２は、この総和が大きければ大きいほど、コンテンツとＣＭとの適合度が高いと判断して、適合度の高い順に所定の数のＣＭデータを抽出する。
【００３９】
同様に、データ配信部１１２は、抽出されたＣＭデータと、クライアントと、の適合度についても算出する。
【００４０】
具体的に、クライアントの属性情報と、ＣＭのメタデータと、を照合して、一致する項目の重み係数の総和を算出することにより、これらの適合度を推定することができる。データ配信部１１２は、適合度の高い順に所定の数のＣＭをさらに抽出する。
【００４１】
そして、データ配信部１１２は、このようにして抽出されたＣＭを、配信要求のあったコンテンツに関連付けて、移動端末２０へと配信する。なお、その際、データ配信部１１２は、配信するＣＭデータのメタデータに、リンク先となるコンテンツのＩＤ、すなわち、配信要求のあったコンテンツのＩＤを格納して、移動端末２０へと送信する。
【００４２】
また、配信するコンテンツが複数ある場合は、配信するＣＭデータのメタデータに、リンク先となるコンテンツのＩＤを複数格納して、送信しても良い。
【００４３】
なお、ＣＭデータの配信は、配信要求のあったコンテンツに付加して同時に実行しても良いし、別々のタイミングで行っても良い。
【００４４】
Ｉ／Ｆ部１３０は、ネットワーク９００や各機能部間におけるインターフェースを提供し、配信サーバ１０を、ネットワーク９００を介して移動端末２０とデータの送受信可能に接続する。
【００４５】
次に、移動端末２０について詳細に説明する。
【００４６】
移動端末２０は、制御部２１０と、記憶部２２０と、Ｉ／Ｆ部２３０と、ＧＰＳ受信部２４０と、音声出力部２５０と、表示部２６０と、入力部２７０と、を有する。
【００４７】
制御部２１０は、データ管理部２１１と、情報取得部２１２と、データ再生部２１３と、を有する。
【００４８】
データ管理部２１１は、入力部２７０を介して利用者からの指示操作を受け付けて、配信サーバ１０へコンテンツの配信要求を出力する。そして、配信サーバ１０からコンテンツおよびＣＭの配信を受け付ける。
【００４９】
具体的に、データ管理部２１１は、入力部２７０を介して、利用者から所望のコンテンツの配信指示を受け付けると、配信サーバ１０へ配信コンテンツを指定するコンテンツＩＤを含むコンテンツ配信要求を送信する。そして、配信サーバ１０から供給されるコンテンツおよびＣＭを受信すると、記憶部２２０のデータ記憶領域２２１にこれらを記憶させる。
【００５０】
さらに、データ管理部２１１は、配信を受けたコンテンツおよびＣＭに関する情報を、図３に示すようなリンクテーブルに登録する。
【００５１】
リンクテーブル記憶領域２２２に記憶されるリンクテーブルは、コンテンツとＣＭとの関連付け（リンク情報）を管理するテーブルである。リンクテーブルは、データ記憶領域２２１に蓄積されるコンテンツのコンテンツＩＤが格納されるコンテンツＩＤ格納領域２２２ａと、当該コンテンツをリンク先とするＣＭのＩＤが格納されるＣＭＩＤ格納領域２２２ｂと、からなる。
【００５２】
まず、データ管理部２１１は、新たに配信サーバ１０から供給を受けたコンテンツおよびＣＭのリンク情報を、リンクテーブルに登録する。
【００５３】
具体的に、データ管理部２１１は、配信コンテンツのメタデータに含まれるコンテンツＩＤを、コンテンツＩＤ格納領域２２２ａへと格納する。また、データ管理部２１１は、配信ＣＭのメタデータのリンク先情報を参照して、リンク対象となるコンテンツＩＤを特定する。そして、リンクテーブルから当該コンテンツＩＤを格納するレコードを特定し、当該レコードのＣＭＩＤ格納領域２２２ｂに、配信ＣＭのＩＤを格納する。
【００５４】
以上、データ管理部２１１が、配信サーバ１０からコンテンツおよびＣＭの配信を受けた際の処理について説明した。
【００５５】
次に、データ管理部２１１が、移動端末２０の状態に基づいて、コンテンツおよびＣＭ間のリンクを増減させる処理について説明する。
【００５６】
まず、データ管理部２１１は、移動端末の状況を判断する。
【００５７】
具体的に、データ管理部２１１は、一定時間ごとに情報取得部２１２から出力される位置時間情報を取得する。
【００５８】
情報取得部２１２は、予め定められた一定のタイミングごとに、ＧＰＳ受信部２４０から位置と、時刻と、を特定するＧＰＳ信号を取得する。そして、当該ＧＰＳ信号に基づいて、位置および時間を特定して、位置時間情報を生成してデータ管理部２１１へと供給する。
【００５９】
なお、位置は、記憶部２２０に緯度・経度から国や地域等を判断するための図示しない地図情報を備えておくことによって、詳細に特定することができる。
【００６０】
そして、データ管理部２１１は、情報取得部２１２から位置時間情報の供給を受けると、移動端末２０の位置及び時間が、一定期間視聴が推奨される地域および時間帯に含まれないＣＭのリンク情報を削除する。
【００６１】
具体的に、データ管理部２１１は、各ＣＭのメタデータを参照して、移動端末２０の位置および時間が、メタデータに格納される推奨地域および推奨時間帯に含まれないＣＭデータのＣＭＩＤを特定する。そして、抽出されたＣＭＩＤを、リンクテーブルのＣＭＩＤ格納領域２２２ｂから削除する。ただし、データ管理部は、配信サーバ１０の構築したリンク、すなわち、ＣＭのメタデータにリンク先情報として格納されるコンテンツとのリンクを示すレコードに格納されるＣＭＩＤについては削除せず、配信サーバ１０の構築したデフォルトのリンクを維持する。
【００６２】
そして、配信サーバ側でＣＭメタデータに特定の条件（地域や時間）を予め設定して、端末が上記条件の場合は、配信サーバ１０の構築したデフォルトのリンクに戻すようにしても良い。
【００６３】
また、配信サーバ側でＣＭメタデータにＣＭ提供者がリンク情報固定フラグを予め設定して、フラグが有効な場合は端末の状況によらず配信サーバ１０の構築したデフォルトのリンクを維持しても良い。
【００６４】
次に、データ管理部２１１は、移動端末２０の位置および時間が、メタデータに格納される視聴が推奨される推奨地域および推奨時間帯に含まれるＣＭデータを抽出する。
【００６５】
具体的に、データ管理部２１１は、蓄積される各ＣＭデータのメタデータに格納されている推奨地域に、移動端末２０の位置が含まれ、かつ、推奨時間帯に、取得した時間が含まれるＣＭデータを選択する。
【００６６】
なお、位置および時間の何れか一方が推奨地域および時間帯に含まれるようなＣＭデータを抽出しても良い。また、視聴が推奨されるＣＭの選択の条件は、地域や時間帯に限定されず、例えば、季節、天気、温度等の条件によっても良い。
【００６７】
次に、データ管理部２１１は、選択された各ＣＭについて、新たなリンク先の対象となるコンテンツを検索する。
【００６８】
具体的に、データ管理部２１１は、選択された各ＣＭのメタデータと、蓄積される各コンテンツのメタデータと、を照合して、一致する項目の重み係数の総和を算出し、適合度の高いコンテンツおよびＣＭの組み合わせを検出する。
【００６９】
そして、データ管理部２１１は、適合度の高いコンテンツおよびＣＭの組み合わせが、リンクテーブルに登録されているか否かを判断する。当該組み合わせがリンクテーブルに未登録の場合、データ管理部２１１は、リンク対象となるコンテンツＩＤを含むレコードのＣＭＩＤ格納領域２２２ｂに、適合するＣＭＩＤを追加し、新たなリンク情報として登録する。
【００７０】
なお、新たなリンク対象となるコンテンツは、ＣＭと適合度の高いコンテンツに限定されない。例えば、最新に配信されたコンテンツや、図４に示すような再生履歴から、再生頻度の高いコンテンツを特定して、これらをリンク先対象としても良い。
【００７１】
なお、ここでは、リンクの構築は情報取得部２１２が所定の時間ごとにＧＰＳ信号を受信し、位置時間情報をデータ管理部２１１に送信することで開始されるものとして説明した。しかしながら、処理の開始の条件はこれに限定されず、情報取得部２１２が移動端末２０の位置が移動したと判断した場合に、位置時間情報を出力して開始されるような構成とすることもできる。
【００７２】
データ再生部２１３は、入力部２７０を介して利用者からコンテンツの再生指示を受け付けると、コンテンツデータおよびＣＭデータを再生する。
【００７３】
なお、ＣＭの再生は、コンテンツの再生に伴って予め定められたタイミングで実行される。例えば、コンテンツの再生前や、コンテンツの再生時間が所定の長さに達した時、チャプタの終了時、コンテンツの停止時等である。
【００７４】
また、データ再生部２１３は、図４に示すようなコンテンツおよびＣＭデータの再生履歴を生成して、再生履歴記憶領域２２３へと格納する。
【００７５】
再生履歴は、利用者の指示により実行されるコンテンツおよびＣＭの再生処理の履歴であり、制御対象となったコンテンツおよびＣＭのＩＤを格納するコンテンツ／ＣＭＩＤ格納領域２２３ａと、制御が終了した日時等を格納する更新時格納領域２２３ｂと、からなる。
【００７６】
ＧＰＳ受信部２４０は、ＧＰＳ（Global Positioning System）衛星から信号を受信する。
【００７７】
Ｉ／Ｆ部２３０は、アクセスポイント８００や各機能部間におけるインターフェース（例えば、ＵＳＢ等）を提供し、移動端末２０を他の機器とデータの送受信可能に接続する。
【００７８】
入力部２７０は、例えば操作スイッチを備え、利用者からの指示操作を受け付ける。操作指示とは、例えば、各コンテンツやＣＭの選択および再生、停止等の処理である。
【００７９】
表示部２６０は、例えば、ＬＣＤ等のディスプレイであり、データ再生部２１３によって供給される画像信号に基づいて画像を表示する。
【００８０】
音声出力部２５０は、データ再生部２１３によって供給される音声信号を音声に変換して出力する。
【００８１】
なお、これらの各装置は、例えば、図８に示すようなコンピュータ８１０により構成することができる。
【００８２】
コンピュータ８１０は、ハードディスク等の補助メモリ８０３と、メモリ８０２と、ＣＰＵ（Central Processing Unit）８０１と、ＮＩＣ（Network Interface Card）８０４等の通信装置と、これらを接続するバス８０５と、を備えており、各制御部は、補助メモリ８０３に記憶されている所定のプログラムを、メモリ８０２に読み込みＣＰＵ８０１で実行することにより実現可能である。
【００８３】
次に、移動端末２０のデータ管理部２１１が、情報取得部２１２から位置および時間を示す位置時間情報を取得した際の処理について、図５を用いて説明する。図５は、データ管理部２１１が、情報取得部２１２から位置時間情報を取得した際に実行する処理の流れを示すフローチャートである。
【００８４】
データ管理部２１１は、移動端末２０の位置および時間に関する位置時間情報を取得したか否かを判断する（Ｓ１１）。
【００８５】
次に、データ管理部２１１は、情報取得部２１２から位置時間情報の供給を受けると、移動端末２０の位置及び時間が、一定期間視聴が推奨される地域および時間帯に含まれないＣＭのリンク情報を削除する（Ｓ１２）。
【００８６】
具体的に、データ管理部２１１は、ＣＭのメタデータを参照して、移動端末２０の位置および時間が、メタデータに格納される推奨地域および推奨時間帯に含まれないＣＭデータのＣＭＩＤが、ＣＭＩＤ格納領域２２２ｂに格納されているレコードをリンクテーブルから抽出する。そして、抽出されたレコードのうち、各ＣＭのメタデータのリンク先情報で特定されるコンテンツ以外のコンテンツが、対応するコンテンツＩＤ格納領域２２２ａに格納されているＣＭＩＤを、ＣＭＩＤ格納領域２２２ｂから削除する。
【００８７】
そして、データ管理部２１１は、移動端末２０の位置および時間に、各ＣＭに予め定められた推奨地域および推奨時間帯が含まれるＣＭデータを選択する（Ｓ１３）。
【００８８】
次に、データ管理部２１１は、ステップ１３で選択された各ＣＭについて、新たなリンク先の対象となるコンテンツを検索する（Ｓ１４）。
【００８９】
具体的に、データ管理部２１１は、ステップ１３で選択された各ＣＭのメタデータと、蓄積される各コンテンツのメタデータと、を照合して、各ＣＭデータについて適合度の高いコンテンツを、所定の数、特定する。
【００９０】
さらに、データ管理部２１１は、ステップ１４で特定したコンテンツおよびＣＭの組み合わせが、リンクテーブルに登録されているか否かを判断する（Ｓ１５）。当該組み合わせが、リンクテーブルに未登録の場合（ＮＯ）、データ管理部２１１は、リンク対象となるコンテンツのレコードのＣＭＩＤ格納領域２２２ｂに適合するＣＭＩＤを追加し、新たなリンク情報を登録する（Ｓ１６）。当該組み合わせが既にリンクテーブルに存在している場合（ＹＥＳ）、データ管理部２１１は処理を終了する。
【００９１】
以上、移動端末２０が、コンテンツおよびＣＭの配信を受けた際に実行する処理について説明した。
【００９２】
上記のような構成によれば、移動端末２０の状況に適合するＣＭが、常に関連するコンテンツにリンクされているため、利用者に効果的にＣＭを視聴させることが可能である。
【００９３】
＜第二の実施形態＞
次に、第二の実施形態にかかるＣＭ配信システム２について説明する。
【００９４】
第二の実施形態にかかる配信システム２は、配信サーバ１０と、移動端末３０と、からなる。以下、第一の実施形態にかかる配信システム１と比較して、異なる部分について説明する。
【００９５】
本実施形態において、移動端末３０は、コンテンツおよびＣＭ間のリンクを削除する。
【００９６】
このような移動端末３０を用いた本発明の第二の実施形態について、以下、図６を参照しながら説明する。図６は、第二の実施形態にかかる配信システム２の機能構成を示すブロック図である。
【００９７】
配信サーバ１０は、第一の実施形態とほぼ同様の構成であるため、ここでは詳細な説明を省略する。
【００９８】
移動端末３０の制御部３１０は、データ管理部３１１と、情報取得部２１２と、データ再生部３１３と、を備えている。
【００９９】
制御部３１０は、第一の実施形態と同様の処理に加えて、ＣＭの再生回数に応じてコンテンツおよびＣＭ間のリンクを削除する処理を実行する。
【０１００】
まず、データ再生部３１３について説明する。
【０１０１】
データ再生部３１３は、第一の実施形態にかかるデータ再生部２１３と同様の処理を実行し、図４に示すようなコンテンツおよびＣＭの再生履歴を記録する。
【０１０２】
さらに、本実施形態にかかるデータ再生部３１３は、ＣＭの再生履歴を記録する際、再生履歴から当該ＣＭの再生回数を算出する。そして、所定の回数以上再生がなされているＣＭデータが存在する場合には、当該ＣＭのＩＤを含んだ削除要求を、データ管理部３１１へと出力する。
【０１０３】
データ管理部３１１は、データ再生部３１３からの削除要求を受け付けると、リンクテーブルのＣＭＩＤ格納領域２２２ｂから、削除要求に含まれるＣＭのＩＤを全て削除する。
【０１０４】
また、本実施形態にかかるデータ管理部３１１は、情報取得部２１２から位置時間情報の提供を受け付けると（図５、ステップ１１）、まず、蓄積されるＣＭデータの中に、ＣＭＩＤ格納領域２２２ｂにＩＤが格納されていないものがあるか否かを判断し、リンク情報の無いＣＭデータを削除する。なお、一定時間リンク情報が無いＣＭデータのみを削除しても良い。その後、ステップ１２へと進み、第一の実施形態と同様の処理を実行する。
【０１０５】
以上のような構成により、本実施形態にかかる配信システム２は、所定の回数以上再生されたＣＭデータが自動的に削除されるため、利用者が視聴済みのＣＭが繰り返し再生されることなく、効率的な視聴が可能となる。
【０１０６】
また、ＣＭデータによる、限られた移動端末のストレージの圧迫を防止できる。
【０１０７】
なお、データ再生部３１３によるＣＭデータの削除要求が出力される条件は、上述の再生回数に限定しない。例えば、ＣＭデータの受信日時を予め記憶部に登録しておき、ダウンロード後の経過時間が所定の値以上となったＣＭデータについて、削除要求を出力しても良い。また、ＣＭデータの作成日からの経過日数等の条件を、さらに組み合わせることもできる。
【０１０８】
＜第三の実施形態＞
次に、第三の実施形態にかかる配信システム３について、以下、図７を参照しながら説明する。図７は、第三の実施形態にかかる配信システム３の機能構成を示すブロック図である。
説明する。
【０１０９】
第三の実施形態にかかる配信システム３は、配信サーバ１０と、移動端末４０と、からなる。以下、第一の実施形態にかかる配信システム１と比較して、異なる部分について説明する。
【０１１０】
本実施形態において、移動端末４０は、利用者によって削除指示のあったコンテンツおよびＣＭ間のリンクを削除する。
【０１１１】
配信サーバ１０は、第一の実施形態とほぼ同様の構成であるため、ここでは詳細な説明を省略する。
【０１１２】
移動端末４０の制御部４１０は、データ管理部４１１と、情報取得部２１２と、データ再生部２１３と、を備えている。
【０１１３】
制御部４１０は、第一の実施形態と同様の処理に加え、利用者からのコンテンツデータの削除指示に応じて、当該コンテンツおよびＣＭ間のリンクを削除する処理を実行する。
【０１１４】
データ管理部４１１は、利用者からコンテンツの削除指示を受け付けると、当該コンテンツデータを削除する。そして、リンクテーブルから、コンテンツＩＤ格納領域２２２ａに削除されたコンテンツのＩＤが含まれるレコードを特定し、当該レコードについても削除する。
【０１１５】
なお、データ管理部４１１は、第二の実施形態にかかるデータ管理部３１１と同様に、情報取得部２１２から位置時間情報の提供を受けると、蓄積されるＣＭデータ中で、ＣＭＩＤ格納領域２２２ｂにＩＤが格納されていないＣＭデータを削除する。
【０１１６】
以上のような構成により、本実施形態にかかる配信システム３は、削除されたコンテンツとＣＭとの間のリンク情報を自動的に削除することが可能である。従って、削除指示のあったコンテンツのみをリンク対象としているＣＭデータについても削除されるため、リンク情報が無く再生がなされないようなＣＭの蓄積を防止することができる。
【０１１７】
また、本発明は、上記のような実施形態には制限されない。上記の実施形態は、本発明の技術的思想の範囲内で様々な変形が可能である。
【０１１８】
例えば、上述の各実施形態にかかる各システムは、コンテンツを配信するコンテンツ配信サーバと、ＣＭを配信するＣＭ配信サーバと、を別々に有していても良い。
【０１１９】
また、位置および時間に関する情報は、ＧＰＳを利用せずに、最寄りのＡＰ８００から位置時間情報を取得することも可能である。
【図面の簡単な説明】
【０１２０】
【図１】図１は、第一の実施形態にかかる配信システム１の機能的な構成を示すブロック図である。
【図２】図２は、ＣＭに付与されるメタデータの概略図である。
【図３】図３は、リンクテーブルの概略図である。
【図４】図４は、再生履歴の概略図である。
【図５】図５は、データ管理部２１１が、情報取得部２１２から位置時間情報を取得した際に実行する処理の流れを示すフローチャートである。
【図６】図６は、第二の実施形態にかかる配信システム２の機能構成を示すブロック図である。
【図７】図７は、第三の実施形態にかかる配信システム３の機能構成を示すブロック図である。
【図８】図８は、各装置の電気的な構成を示すブロック図である。
【符号の説明】
【０１２１】
１・２・３：配信システム、１０：配信サーバ、２０・３０・４０：移動端末、１２１：コンテンツデータベース、１２２：ＣＭデータベース、１２３：顧客情報、８００：ＡＰ、９００：ネットワーク。
【図１】
2010061354.tif 000003
【図２】
2010061354.tif 000004
【図３】
2010061354.tif 000005
【図４】
2010061354.tif 000006
【図５】
2010061354.tif 000007
【図６】
2010061354.tif 000008
【図７】
2010061354.tif 000009
【図８】
2010061354.tif 000010